(57)【要約】【課題】波形表示画面に規定する波形の表示領域の数を容易に設定して信号波形を表示させる。【解決手段】タッチパネル１３が配設された表示部１２、および表示部１２に波形表示画面２０を表示させると共に波形表示画面２０内に規定した波形表示領域２１に波形データに基づく信号波形Ｗを表示させる表示制御部を備え、表示制御部は、タッチパネル１３からの操作信号に基づき、波形表示領域２１における４つの辺のうちの一辺（一例として、左辺）からその一辺に対向する一辺（この例では、右辺）に向かう矢印Ｂ１ｂの向きで波形表示領域２１に対するスライド操作が行われたと判別したときに、スライド操作の軌跡の位置に対応させて波形表示領域２１を分割して２つの波形表示領域２１，２１を波形表示画面２０内に規定する第１の処理を実行する。【選択図】図５
2014215081.tif 000002
【特許請求の範囲】
【請求項１】
タッチパネルが配設された表示部、および当該表示部に波形表示画面を表示させると共に当該波形表示画面内に規定した表示領域に波形データに基づく信号波形を表示させる表示制御部を備えた波形表示装置であって、
前記表示制御部は、前記タッチパネルからの操作信号に基づき、前記表示領域における４つの辺のうちの一辺から当該一辺に対向する一辺に向かう第１の向きで当該表示領域に対する第１のスライド操作が行われたと判別したときに、当該第１のスライド操作の軌跡の位置に対応させて前記表示領域を分割して２つの当該表示領域を前記波形表示画面内に規定する第１の処理を実行する波形表示装置。
【請求項２】
前記表示制御部は、前記操作信号に基づき、前記波形表示画面内において隣接する２つの前記表示領域の境界部位に沿って前記第１の向きとは逆向きの第２の向きで第２のスライド操作が行われたと判別したときに、当該２つの表示領域を併合して１つの前記表示領域とする第２の処理を実行する請求項１記載の波形表示装置。
【請求項３】
前記表示制御部は、前記操作信号に基づき、前記波形表示画面内において隣接する２つの前記表示領域のうちの一方の領域内の任意の一点から当該２つの表示領域のうちの他方の領域に向かう第３の向きでの当該一方の領域に対する第３のスライド操作と、前記他方の領域内の任意の一点から前記第３の向きとは逆向きでの当該他方の領域に対する第４のスライド操作とが同時に行われたと判別したときに、当該２つの表示領域を併合して１つの前記表示領域とする第３の処理を実行する請求項１または２記載の波形表示装置。
【請求項４】
前記表示制御部は、前記操作信号に基づき、前記波形表示画面内において隣接する２つの前記表示領域の境界部位から当該２つの表示領域のうちの一方の領域における当該境界部位に対向する一辺に向かう第４の向きで当該境界部位を始点とする第５のスライド操作が行われたと判別したときに、当該第５のスライド操作の終点まで前記境界部位を変位させて前記２つの表示領域の広さを変更する第４の処理を実行する請求項１から３のいずれかに記載の波形表示装置。
【請求項５】
前記表示制御部は、前記第１の処理において、前記第１のスライド操作の前記軌跡における終点の位置に対応させて前記表示領域を分割する請求項１から４のいずれかに記載の波形表示装置。
【請求項６】
請求項１から５のいずれかに記載の波形表示装置と、測定処理を実行して前記波形データを生成する測定装置とを備えて構成された測定システム。
【請求項７】
タッチパネルが配設された表示部、および当該表示部に波形表示画面を表示させると共に当該波形表示画面内に規定した表示領域に波形データに基づく信号波形を表示させる表示制御部を備えた波形表示装置において、前記タッチパネルからの操作信号に基づき、前記表示領域における４つの辺のうちの一辺から対向する一辺に向かう第１の向きで当該表示領域に対する第１のスライド操作が行われたと判別したときに、当該第１のスライド操作の軌跡の位置に対応させて前記表示領域を分割して２つの当該表示領域を前記波形表示画面内に規定する第１の処理を前記表示制御部に実行させる波形表示用プログラム。
【発明の詳細な説明】
【技術分野】
【０００１】
本発明は、波形データに基づく信号波形を表示可能に構成された波形表示装置、そのような波形表示装置を備えて構成された測定システム、および信号波形の表示処理を波形表示装置の表示制御部に実行させる波形表示用プログラムに関するものである。
【背景技術】
【０００２】
出願人は、入力信号に基づいて生成した波形データを記録すると共に、記録した波形データに基づく信号波形を表示可能に構成された波形記録装置を特開２００６−１６２４３６号公報に開示している。この波形記録装置では、表示条件設定画面を表示部に表示させた状態において操作部を操作して、波形表示画面の分割数（信号波形を表示させる波形表示領域の数）や、分割された各波形表示領域の形状（各波形表示領域の相対的な大きさ等）などを設定することにより、任意の分割態様で波形表示画面を分割して各波形表示領域に信号波形を表示させることができるように構成されている。
【０００３】
この場合、波形表示画面の分割数については、「１分割（分割なし）」、「２分割」、「３分割」、「４分割」、「６分割」および「８分割」の６つの選択候補のうちのいずれかが選択される。また、各波形表示領域の形状については、「パターン１（各波形表示領域が同じ大きさに分割される分割パターン）」、および「パターン２（最上部の波形表示領域が他の波形表示領域よりも大きくなるよう分割される分割パターン）」の２つの選択候補のいずれかが選択される。これにより、出願人が開示している波形記録装置では、使用形態に応じて、予め規定された選択候補のなかから波形表示領域の数や波形表示領域の広さの組み合わせを任意に選択して信号波形を表示させることが可能となっており、波形表示領域の分割数や大きさ等が規定の表示態様で固定されている装置と比較して、測定結果（信号波形）を確実かつ容易に読み取ることが可能となっている。
【先行技術文献】
【特許文献】
【０００４】
【特許文献１】特開２００６−１６２４３６号公報（第４−８頁、第１−１３図）
【発明の概要】
【発明が解決しようとする課題】
【０００５】
ところが、出願人が開示している波形記録装置には、以下の改善すべき課題が存在する。すなわち、出願人が開示している波形記録装置では、表示条件設定画面を表示部に表示させた状態において波形表示画面の分割数や形状を設定し、設定完了後に、表示条件設定画面から波形表示画面に切り替えることにより、設定した分割態様で分割された各波形表示領域に信号波形がそれぞれ表示される構成が採用されている。
【０００６】
この場合、一例として、表示条件設定画面において「３分割」および「パターン１」との選択候補を選択した後に波形表示画面を表示させ、互いに等しい大きさの３つの波形表示領域に信号波形をそれぞれ表示させた状態において、画面の分割数を「４分割」に変更して信号波形を表示させるときには、波形表示画面から表示条件設定画面に切り替え、「３分割」との設定値に代えて「４分割」との選択候補を選択し、その後に表示条件設定画面から波形表示画面に切り替える必要がある。したがって、出願人が開示している波形記録装置には、波形表示画面の分割数を容易に変更可能に改善すべきとの課題がある。
【０００７】
また、出願人が開示している波形記録装置では、分割した複数の波形表示領域が同じ大きさとなる「パターン１」との分割態様だけでなく、最上部の波形表示領域が他の波形表示領域よりも大きくなる「パターン２」との分割態様（一例として、最上部の波形表示領域が波形表示画面の半分を占める大きさで、他の波形表示領域が波形表示画面の残りの半分を等分割した大きさとなる表示態様）を選択可能としたことにより、最上部の波形表示領域に表示させた信号波形を詳細に観察することが可能となっている。しかしながら、最上部の波形表示領域以外の波形表示領域については、信号波形を大きく表示させることができないため、最上部以外の波形表示領域に表示させた信号波形を詳細に観察したいときには、その信号波形が最上部の波形表示領域に表示されるように表示態様を変更する必要がある。
【０００８】
この場合、「パターン１」や「パターン２」との分割態様に加え、各表示領域の大きさの組み合わせが相違する複数の分割パターンを予め用意しておくことで、例えば、上から２番目の波形表示領域が他の波形表示領域よりも大きくなるような分割態様で波形表示画面を表示させることが可能となる。しかしながら、想定される分割パターンのすべてを選択候補として予め用意した場合には、選択候補の数が多数となり、分割態様の設定操作が煩雑となるおそれがある。したがって、出願人が開示している波形記録装置には、各波形表示領域の大きさを容易に所望の大きさに設定できるように改善すべきとの課題がある。
【０００９】
本発明は、かかる課題に鑑みてなされたものであり、波形表示画面に規定する波形の表示領域の数を容易に設定して信号波形を表示させ得る波形表示装置、測定システムおよび波形表示用プログラムを提供することを主目的とする。
【課題を解決するための手段】
【００１０】
上記目的を達成すべく請求項１記載の波形表示装置は、タッチパネルが配設された表示部、および当該表示部に波形表示画面を表示させると共に当該波形表示画面内に規定した表示領域に波形データに基づく信号波形を表示させる表示制御部を備えた波形表示装置であって、前記表示制御部は、前記タッチパネルからの操作信号に基づき、前記表示領域における４つの辺のうちの一辺から当該一辺に対向する一辺に向かう第１の向きで当該表示領域に対する第１のスライド操作が行われたと判別したときに、当該第１のスライド操作の軌跡の位置に対応させて前記表示領域を分割して２つの当該表示領域を前記波形表示画面内に規定する第１の処理を実行する。
【００１１】
また、請求項２記載の波形表示装置は、請求項１記載の波形表示装置において、前記表示制御部は、前記操作信号に基づき、前記波形表示画面内において隣接する２つの前記表示領域の境界部位に沿って前記第１の向きとは逆向きの第２の向きで第２のスライド操作が行われたと判別したときに、当該２つの表示領域を併合して１つの前記表示領域とする第２の処理を実行する。
【００１２】
さらに、請求項３記載の波形表示装置は、請求項１または２記載の波形表示装置において、前記表示制御部は、前記操作信号に基づき、前記波形表示画面内において隣接する２つの前記表示領域のうちの一方の領域内の任意の一点から当該２つの表示領域のうちの他方の領域に向かう第３の向きでの当該一方の領域に対する第３のスライド操作と、前記他方の領域内の任意の一点から前記第３の向きとは逆向きでの当該他方の領域に対する第４のスライド操作とが同時に行われたと判別したときに、当該２つの表示領域を併合して１つの前記表示領域とする第３の処理を実行する。
【００１３】
また、請求項４記載の波形表示装置は、請求項１から３のいずれかに記載の波形表示装置において、前記表示制御部は、前記操作信号に基づき、前記波形表示画面内において隣接する２つの前記表示領域の境界部位から当該２つの表示領域のうちの一方の領域における当該境界部位に対向する一辺に向かう第４の向きで当該境界部位を始点とする第５のスライド操作が行われたと判別したときに、当該第５のスライド操作の終点まで前記境界部位を変位させて前記２つの表示領域の広さを変更する第４の処理を実行する。
【００１４】
さらに、請求項５記載の波形表示装置は、請求項１から４のいずれかに記載の波形表示装置において、前記表示制御部は、前記第１の処理において、前記第１のスライド操作の前記軌跡における終点の位置に対応させて前記表示領域を分割する。
【００１５】
また、請求項６記載の測定システムは、請求項１から５のいずれかに記載の波形表示装置と、測定処理を実行して前記波形データを生成する測定装置とを備えて構成されている。
【００１６】
また、請求項７記載の波形表示用プログラムは、タッチパネルが配設された表示部、および当該表示部に波形表示画面を表示させると共に当該波形表示画面内に規定した表示領域に波形データに基づく信号波形を表示させる表示制御部を備えた波形表示装置において、前記タッチパネルからの操作信号に基づき、前記表示領域における４つの辺のうちの一辺から対向する一辺に向かう第１の向きで当該表示領域に対する第１のスライド操作が行われたと判別したときに、当該第１のスライド操作の軌跡の位置に対応させて前記表示領域を分割して２つの当該表示領域を前記波形表示画面内に規定する第１の処理を前記表示制御部に実行させる。
【発明の効果】
【００１７】
請求項１記載の波形表示装置では、第１の向きで表示領域に対する第１のスライド操作が行われたときに、表示制御部が、第１のスライド操作の軌跡の位置に対応させて表示領域を分割して２つの表示領域を波形表示画面内に規定する第１の処理を実行する。また、請求項７記載の波形表示用プログラムでは、第１の向きで表示領域に対する第１のスライド操作が行われたときに、第１のスライド操作の軌跡の位置に対応させて表示領域を分割して２つの表示領域を波形表示画面内に規定する第１の処理を波形表示装置の表示制御部に実行させる。
【００１８】
したがって、請求項１記載の波形表示装置、および請求項７記載の波形表示用プログラムによれば、表示部に波形表示画面を表示させた状態において、いずれかの表示領域を分割したい位置で、恰もその表示領域を分断するようなスライド操作（第１のスライド操作）を行うことで１つの表示領域を２つの表示領域に分割することができる。また、第１のスライド操作の軌跡に応じて表示領域が分割されるため、分割後の表示領域の大きさを容易に指定することができる。さらに、波形表示画面から表示条件設定画面に切り替えることなく、波形表示画面を表示させたまま、表示領域の分割態様を変更することができる。このため、この種の装置の操作に不慣れな利用者であっても、使用形態に応じて表示領域の数（波形表示画面の分割数）を容易に設定して信号波形をそれぞれ表示させることができる。
【００１９】
また、請求項２記載の波形表示装置によれば、波形表示画面内において隣接する２つの表示領域の境界部位に沿って第１の向きとは逆向きの第２の向きで第２のスライド操作が行われたときに、表示制御部が、第２の処理を実行して２つの表示領域を併合して１つの表示領域とすることにより、１つの表示領域を２つの表示領域に分割する操作と逆のスライド操作（第２のスライド操作）を行うだけで併合したい２つの表示領域が１つの表示領域に併合されるため、この種の装置の操作に不慣れな利用者であっても、両表示領域を容易に併合することができる。
【００２０】
さらに、請求項３記載の波形表示装置によれば、波形表示画面内において隣接する２つの表示領域のうちの一方の領域内における任意の一点から２つの表示領域のうちの他方の領域に向かう第３の向きでの一方の領域に対する第３のスライド操作と、他方の領域内の任意の一点から第３の向きとは逆向きでの他方の領域に対する第４のスライド操作とが同時に行われたときに、表示制御部が、第３の処理を実行して２つの表示領域を併合して１つの表示領域とすることにより、恰も、２つの表示領域を摘まんで一体化させるようなスライド操作（第３のスライド操作および第４のスライド操作）を行うことで２つの表示領域が１つの表示領域に併合されるため、この種の装置の操作に不慣れな利用者であっても、両表示領域を容易に併合することができる。
【００２１】
また、請求項４記載の波形表示装置によれば、波形表示画面内において隣接する２つの表示領域の境界部位から２つの表示領域のうちの一方の領域における境界部位に対向する一辺に向かう第４の向きで境界部位を始点とする第５のスライド操作が行われたときに、表示制御部が、第４の処理を実行して第５のスライド操作の終点まで境界部位を変位させて２つの表示領域の広さを変更することにより、隣接する２つの表示領域の広さを容易に変更することができる。
【００２２】
さらに、請求項５記載の波形表示装置によれば、表示制御部が、第１の処理において、第１のスライド操作の軌跡における終点の位置に対応させて表示領域を分割することにより、スライド操作の完了時に指を離す位置（スライド操作の終点）が所望の分割位置となるように操作することで分割後の両表示領域の広さを所望の広さとすることができるため、スライド操作の始点から終点まで、分割位置を意識して操作する必要がない分だけ、表示領域の分割操作を一層容易に実行することができる。
【００２３】
また、請求項６記載の測定システムによれば、請求項１から５のいずれかに記載の波形表示装置と、測定処理を実行して波形データを生成する測定装置とを備えて構成したことにより、測定装置２において生成した波形データに基づく信号波形を波形表示装置において容易に観察することができる。
【図面の簡単な説明】
【００２４】
【図１】測定システム１の構成を示す構成図である。
【図２】測定システム１における携帯型表示装置３の表示部１２に表示される波形表示画面２０の一例を示す表示画面図である。
【図３】波形表示画面２０における波形表示領域２１の分割操作について説明するための表示画面図である。
【図４】矢印Ｂ１ａで示すように位置Ｐ１ａまでスライド操作を行った際の表示画面の一例について説明するための表示画面図である。
【図５】矢印Ｂ１ｂで示すように位置Ｐ１ｂまでスライド操作を行った際の表示画面の一例について説明するための表示画面図である。
【図６】図３〜５に示す波形表示領域２１を分割した波形表示領域２１ａ，２１ｂの一例について説明するための表示画面図である。
【図７】図６に示す波形表示領域２１ｂ内の信号波形Ｗｂをスクロールさせた状態について説明するための表示画面図である。
【図８】波形表示領域２１ｂの分割操作について説明するための表示画面図である。
【図９】波形表示領域２１ａ，２１ｃの広さを調整するスライド操作について説明するための表示画面図である。
【図１０】広さを調整が完了した状態の波形表示領域２１ａ，２１ｃの一例を示す表示画面図である。
【図１１】波形表示領域２１ｃ，２１ｄの併合操作について説明するための表示画面図である。
【図１２】波形表示領域２１ａ，２１ｃの広さを調整するスライド操作について説明するための表示画面図である。
【発明を実施するための形態】
【００２５】
以下、波形表示装置、測定システムおよび波形表示用プログラムの実施の形態について、添付図面を参照して説明する。
【００２６】
図１に示す測定システム１は、測定装置２および携帯型表示装置３を備え、測定装置２によって生成された波形データＤｗに基づく信号波形Ｗ（図２〜１２参照）を携帯型表示装置３に表示させて観察することができるように構成されている。測定装置２は、入力信号Ｓｉについての電気的パラメータ（電流値、電圧値、抵抗値、電力値および位相等）を測定し、その経時変化を示す信号波形Ｗの波形データＤｗを生成する測定処理を実行すると共に、一例として、後述するように携帯型表示装置３から送信される制御信号Ｓｃに従って波形データＤｗを携帯型表示装置３に送信する。
【００２７】
携帯型表示装置３は、「波形表示装置」に相当し、一例として、市販のタブレット端末やスマートフォンなどで構成されて、この測定システム１専用の波形表示用プログラムＤｐ（「波形表示用プログラム」の一例）がインストールされている。具体的には、携帯型表示装置３は、通信部１１、表示部１２、タッチパネル１３、制御部１４および記憶部１５などを備えて構成されている。なお、上記したようにタブレット端末で構成されている携帯型表示装置３には、上記の各構成要素１１〜１５以外にも、タブレット端末として機能させるのに必要な各種構成要素が存在するが、本発明についての理解を容易とするために、各構成要素１１〜１５以外の構成要素に関する図示および説明を省略する。
【００２８】
通信部１１は、一例として、ブルートゥース（Bluetooth ：登録商標）規格に準じた近距離無線通信を実行可能に構成されている。この通信部１１は、後述するように測定装置２との間でペアリングされた状態において、制御部１４の制御に従い、測定装置２に対して各種の制御信号Ｓｃを送信すると共に、測定装置２から送信された波形データＤｗ等を受信して制御部１４に転送する。表示部１２は、液晶表示器や有機ＥＬ表示器等を備えて波形表示画面２０（図２〜１２参照）などの各種表示画面を表示可能に構成されると共に、その前面側（正面側）の全域を覆うようにしてタッチパネル１３が配設されている。タッチパネル１３は、一例として、静電容量型のタッチセンサで構成され、導体が接触した位置（操作位置）を特定可能な操作信号Ｓｏを制御部１４に出力する。
【００２９】
制御部１４は、携帯型表示装置３を総括的に制御する。具体的には、制御部１４は、波形表示用プログラムＤｐの記述に従い、タッチパネル１３からの操作信号Ｓｏに応じて通信部１１から測定装置２に制御信号Ｓｃを送信させることで測定装置２から波形データＤｗを送信させると共に、通信部１１によって受信された波形データＤｗを記憶部１５に記憶させる。また、制御部１４は、「表示制御部」に相当し、波形表示用プログラムＤｐの記述に従い、表示部１２に波形表示画面２０を表示させて波形データＤｗに基づく信号波形Ｗを波形表示領域２１（「表示領域」の一例）内に表示させる波形表示処理を実行する。なお、この波形表示処理については後述する。
【００３０】
記憶部１５は、携帯型表示装置３にインストールされた波形表示用プログラムＤｐや、測定装置２から送信された波形データＤｗなどを記憶する。この場合、波形表示用プログラムＤｐは、一例として、測定装置２（測定システム１）の製造者が製作し（各処理の実行手順を記述し）、インターネット内の図示しない「プログラム配信用サーバ」からダウンロードして携帯型表示装置３などにインストールできるように配布されている。この波形表示用プログラムＤｐについては、配信サーバからのダウンロードに代えて、インストール用の光ディスクやリムーバブルメディア等を測定装置２の附属品（または、オプション品）として配布することもできる。
【００３１】
次に、測定システム１の使用方法について、添付図面を参照して説明する。なお、携帯型表示装置３への波形表示用プログラムＤｐのインストールや、測定装置２と携帯型表示装置３との間におけるブルートゥースのペアリングについては、既に完了しているものとする。また、以下に説明する信号波形Ｗの表示処理については、測定装置２による測定処理と並行して実行する（測定装置２によって測定される測定値の波形をほぼリアルタイムに表示させる）こともできるが、表示処理に関する理解を容易とするために、一例として、測定装置２において事前に実行された測定処理によって測定装置２に記憶された波形データＤｗを取得して携帯型表示装置３に信号波形Ｗを表示させる手順を例に挙げて説明する。さらに、測定装置２による測定処理（波形データＤｗの生成処理）については公知のため、その説明を省略する。
【００３２】
まず、携帯型表示装置３を操作して波形表示用プログラムＤｐを起動させる。この際には、制御部１４が、波形表示用プログラムＤｐの記述に従い、信号波形Ｗを表示させる波形データＤｗを選択する「データ選択画面」、波形データＤｗに基づく信号波形Ｗを表示する波形表示画面２０、および信号波形Ｗの表示条件を設定する「表示条件設定画面」のうちから任意の画面を選択可能な「メニュー画面（図示せず）」を表示部１２に表示させる。
【００３３】
この場合、本例の測定システム１（携帯型表示装置３）では、出願人が開示している従来の波形記録装置と同様にして、上記の「表示条件設定画面」を表示部１２に表示させた状態においてタッチパネル１３を操作することにより、波形表示画面２０の表示態様（分割数や、各波形表示領域２１の大きさ等）を予め設定した状態において波形表示画面２０に信号波形Ｗ（波形表示領域２１）を表示させることもできるが、以下、一例として、波形表示画面２０を分割せずに１つの波形表示領域２１に信号波形Ｗを表示させる表示態様が設定され、そのような設定に従って表示させた波形表示画面２０に信号波形Ｗを表示されている状態でその表示態様を変更する手順について説明する。
【００３４】
波形表示画面２０（信号波形Ｗ）の表示に際しては、まず、前述した「メニュー画面」における「データ選択画面」との選択候補の表示領域に対するタッチ操作を行う。この際には、制御部１４が、波形表示用プログラムＤｐの記述に従い、タッチパネル１３からの操作信号Ｓｏに応じて「データ選択画面」を表示部１２に表示させる（図示せず）。次いで、タッチパネル１３に対するタッチ操作を行うことにより、測定装置２から波形データＤｗを取得する処理を開始させる。
【００３５】
この際に、制御部１４は、波形データＤｗの送信を要求する制御信号Ｓｃを通信部１１から測定装置２に送信させる。これに応じて、測定装置２では、要求された波形データＤｗを測定装置２に送信する。また、携帯型表示装置３では、通信部１１が、測定装置２から送信された波形データＤｗを受信して制御部１４に転送し、制御部１４が、転送された波形データＤｗを記憶部１５に記憶させる。これにより、波形データＤｗの取得が完了する。
【００３６】
次いで、タッチパネル１３に対するタッチ操作を行うことにより、記憶部１５に記憶された波形データＤｗを信号波形Ｗの表示対象として指定して表示部１２に波形表示画面２０を表示させる。この際に、制御部１４は、前述した信号波形Ｗの表示態様に関する初期設定値に従い、図２に示すように、波形表示画面２０内に１つの波形表示領域２１を規定すると共に（波形表示画面２０を分割しない信号波形Ｗの表示態様の例）、その波形表示領域２１内に波形データＤｗに基づく信号波形Ｗを表示させる。なお、同図および後に参照する図３〜１２では、波形表示領域２１の左右方向を時間軸とし、波形表示領域２１の上下方向を測定値レベルに対応させて信号波形Ｗを表示させた例を図示している。
【００３７】
続いて、信号波形Ｗを参照することで、測定値に異常な変化が生じた部位（以下、単に「異常部位」ともいう）を見つける。具体的には、一例として、同図に示す矢印Ａ１のように、波形表示領域２１内で左向きのスライド操作を行う。この際に、制御部１４は、タッチパネル１３からの操作信号Ｓｏに応じて、波形表示領域２１内の信号波形Ｗを左向きにスクロールさせる。なお、信号波形Ｗをスクロールさせるための上記のスライド操作時には、後述する波形表示領域２１の分割操作と誤認されることのないように、波形表示領域２１における時間軸方向の両端部（この例では、左端部および右端部）に触れない範囲内でスライド操作を行う。
【００３８】
一方、スライド操作による信号波形Ｗのスクロールにより、図３に示すように、異常部位が波形表示領域２１内に表示されたときには、この異常部位を波形表示画面２０に表示させた状態を維持しつつ、他の異常部位を見つけるために、波形表示領域２１を分割する。具体的には、同図に矢印Ｂ１で示すように、波形表示領域２１における４つの辺のうちの一辺（一例として、左辺）から、その一辺に対向する一辺（この例では、右辺）に向かう向き（「第１の向き」の一例）で波形表示領域２１に対するスライド操作（「第１のスライド操作」の一例）を行う。より具体的には、波形表示画面２０内の位置Ｐ１（波形表示領域２１の左辺よりもやや左寄りの位置）から位置Ｐ２（波形表示領域２１の右辺よりもやや右寄りの位置）まで、波形表示領域２１を分割すべき位置をなぞるようにスライド操作を行う。
【００３９】
この際に、制御部１４は、波形表示領域２１の左辺から右辺に向かうスライド操作が行われているときに、そのスライド操作の軌跡の位置に対応させて波形表示領域２１を分割した際の２つの波形表示領域２１，２１（この例では、後述する波形表示領域２１ａ，２１ｂ：図６参照）が規定される位置を示す領域表示Ｆ１，Ｆ２（図４，５参照）を波形表示領域２１に重ねて表示させる。具体的には、図４に示すように、矢印Ｂ１ａで示すようなスライド操作によって指先が位置Ｐ１ａまで達した際には、指先が触れている位置Ｐ１ａの位置に対応させて領域表示Ｆ１，Ｆ２が表示される。
【００４０】
したがって、利用者が、例えば、波形表示領域２１を上下方向に均等に分割することを希望している場合、波形表示領域２１に重ねて表示されている領域表示Ｆ１，Ｆ２を参照することにより、位置Ｐ１ａから真横（右向き）にスライド操作したときには、分割後に下方に規定される波形表示領域２１（領域表示Ｆ２で示されている波形表示領域２１）が、分割後に上方に規定される波形表示領域２１（領域表示Ｆ１で示されている波形表示領域２１）よりも狭く規定されると認識し、図５の矢印Ｂ１ｂに示すように、やや上向きにスライド操作する。これにより、同図に示すように、上下２つの波形表示領域２１，２１がほぼ同じ大きさとなるように波形表示領域２１が分割される旨を示すように領域表示Ｆ１，Ｆ２が表示される。
【００４１】
また、位置Ｐ２においてスライド操作を行っている指をタッチパネル１３から離間したときに（「第１のスライド操作の軌跡における終点の位置」が位置Ｐ２の例）、制御部１４は、波形表示画面２０における位置Ｐ２の位置に対応させて、図６に示すように、波形表示領域２１を上下２つに分割して波形表示領域２１ａ，２１ｂの２つを波形表示画面２０内に規定すると共に（「第１の処理」の一例）、両波形表示領域２１ａ，２１ｂ内に、分割前に波形表示領域２１に表示させていた信号波形Ｗを信号波形Ｗａ，Ｗｂとしてそれぞれ表示させる。これにより、波形表示領域２１の分割作業が完了する。
【００４２】
次いで、一例として、波形表示領域２１ａ内に信号波形Ｗａを表示させた状態を維持しつつ、波形表示領域２１ｂ内の信号波形Ｗｂをスクロールさせて他の異常部位を見つける。具体的には、矢印Ａ２で示すように、波形表示領域２１ｂ内で左向きのスライド操作を行うことにより、図７に示すように、波形表示領域２１ｂ内の信号波形Ｗｂを左向きにスクロールさせる。なお、本例では、分割後の波形表示領域２１ａ，２１ｂに関し、信号波形Ｗａ，Ｗｂを個別にスクロールさせるよう設定されているものとするが、前述した「表示条件設定画面」を表示させた状態において、分割後の波形表示領域２１ａ，２１ｂのいずれかに対するスライド操作を行うことで、両信号波形Ｗａ，Ｗｂが連動してスクロールするように設定することもできる。
【００４３】
また、矢印Ａ２で示すスライド操作による信号波形Ｗのスクロールにより、図８に示すように、異常部位が波形表示領域２１ｂ内に表示されたときには、この異常部位を波形表示画面２０に表示させた状態を維持しつつ、他の異常部位を見つけるために、波形表示領域２１ｂを分割する。具体的には、同図に矢印Ｂ２で示すように、波形表示領域２１ｂの左辺よりもやや左寄りの位置Ｐ３から波形表示領域２１ｂの右辺よりもやや右寄りの位置Ｐ４まで波形表示領域２１ｂを分割すべき位置をなぞるように、波形表示領域２１ｂに対する右向きのスライド操作（「第１のスライド操作」の他の一例）を行う。なお、このスライド操作の過程においても、前述した領域表示Ｆ１，Ｆ２と同様の２つの領域表示Ｆ，Ｆが波形表示領域２１ｂに重なって表示されるが、この領域表示Ｆ，Ｆの図示および説明を省略する。
【００４４】
また、位置Ｐ４においてスライド操作を行っている指をタッチパネル１３から離間したときに（「第１のスライド操作の軌跡における終点の位置」が位置Ｐ４の例）、制御部１４は、波形表示画面２０における位置Ｐ４の位置に対応させて、図９に示すように、波形表示領域２１ｂを上下２つに分割して波形表示領域２１ｃ，２１ｄの２つを波形表示画面２０内に規定すると共に（「第１の処理」の他の一例）、両波形表示領域２１ｃ，２１ｄ内に、分割前に波形表示領域２１ｂに表示させていた信号波形Ｗｂを信号波形Ｗｃ，Ｗｄとしてそれぞれ表示させる。これにより、波形表示領域２１ｂの分割作業が完了する。
【００４５】
この際に、同図に示す例では、波形表示領域２１ｂを分割するスライド操作が波形表示領域２１ｂの上方寄りに対して行われたことで、波形表示領域２１ｂの上方部位に規定された波形表示領域２１ｃが、波形表示領域２１ｂの下方部位に規定された波形表示領域２１ｄよりも狭くなっている。したがって、他の２つの波形表示領域２１ａ，２１ｄよりも狭いことで信号波形Ｗｃの視認性がやや低下している波形表示領域２１ｃを拡げて信号波形Ｗｃを大きく表示させるのが好ましい。この場合、波形表示領域２１ｃの上方に規定されている波形表示領域２１ａは、上記のスライド操作（分割操作）によって新たに規定された波形表示領域２１ｃ，２１ｄの分割前の波形表示領域２１ｂと同程度の広さとなっており、この波形表示領域２１ａが波形表示領域２１ｃ，２１ｄよりも広くなっている。したがって、波形表示領域２１ａをやや狭めつつ、波形表示領域２１ｃを拡げて大きくする操作を行う。
【００４６】
具体的には、波形表示領域２１ａ，２１ｃの境界部位（「波形表示画面内において隣接する２つの表示領域の境界部位」の一例）から、波形表示領域２１ａにおける境界部位に対向する一辺（この例では、上辺）に向かう向き（この例では、上向き：「第４の向き」の一例）で、同図に矢印Ｃ１で示すように、境界部位上の位置Ｐ５を始点とし、波形表示領域２１ａ内の位置Ｐ６を終点とするスライド操作（「第５のスライド操作」の一例）を行う。この際に、制御部１４は、隣接する波形表示領域２１ａ，２１ｃの境界部位上の一点を始点とする矢印Ｃ１のようなスライド操作が行われたときに、波形表示領域２１ａの変更後の位置（広さ）を示す領域表示Ｆ１、および波形表示領域２１ｃの変更後の位置（広さ）を示す領域表示Ｆ２（共に図示せず）を波形表示領域２１ａ，２１ｃに重ねて表示させる。
【００４７】
また、上記の位置Ｐ６においてスライド操作を行っている指をタッチパネル１３から離間したときに（「第５のスライド操作の軌跡における終点の位置」が位置Ｐ６の例）、制御部１４は、この位置Ｐ６まで波形表示領域２１ａ，２１ｃの境界部位を変位させ、図１０に示すように、波形表示領域２１ａ，２１ｃの広さを変更する（「第４の処理」の一例）。これにより、波形表示領域２１ａがやや狭くなった分だけ、波形表示領域２１ｃが拡がり、信号波形Ｗｃの視認性が十分に向上する。
【００４８】
一方、波形表示領域２１ｄに対する矢印Ａ３で示すようなスライド操作によって信号波形Ｗｄをスクロールさせ、図１１に示すように、波形表示領域２１ａに表示させている信号波形Ｗａのような異常部位、および波形表示領域２１ｃに表示させている信号波形Ｗｃのような異常部位以外の異常部位が存在しなかったときに、波形表示領域２１ｄ内の正常な信号波形Ｗｄを非表示とすることができる。
【００４９】
この際には、波形表示領域２１ａ，２１ｃ内の信号波形Ｗａ，Ｗｃを一層大きく表示させて視認性を向上させるために、非表示とする波形表示領域２１ｄと、この波形表示領域２１ｄに隣接している波形表示領域２１ｃとを併合して１つの波形表示領域２１とする（一例として、波形表示領域２１ｃ，２１ｄを併合して波形表示領域２１ｃだけとする）操作を行う。この場合、本例の測定システム１では、以下の２種類のスライド操作のうちのいずれかを実行することで、隣接する２つの波形表示領域２１，２１を併合して１つの波形表示領域２１とすることができる。
【００５０】
１つ目の操作方法としては、両波形表示領域２１ｃ，２１ｄの境界部位に沿って上記の「第１の向き（本例では、右向き）」とは逆向きの「第２の向き（この例では、左向き）」でのスライド操作（「第２のスライド操作」の一例）を行う。具体的には、波形表示領域２１ｃ，２１ｄの右辺よりもやや右寄りの位置Ｐ７から、波形表示領域２１ｃ，２１ｄの左辺よりもやや左寄りの位置Ｐ８まで、矢印Ａ４で示すように、波形表示領域２１ｃ，２１ｄの境界部位に沿って（境界部位をなぞるようにして）左向きのスライド操作を行う。この際に、位置Ｐ８においてスライド操作を行っている指をタッチパネル１３から離間したときに、制御部１４は、図１２に示すように、一例として、上方に位置している波形表示領域２１ｃを残して波形表示領域２１ｄを非表示とすることにより、両波形表示領域２１ｃ，２１ａを併合し１つの波形表示領域２１ｃとする（「第２の処理」の一例）。
【００５１】
また、２つ目の操作方法としては、図１１に示すように、波形表示領域２１ｃ，２１ｄ（信号波形Ｗｃ，Ｗｄ）が並んで表示されている状態において、波形表示領域２１ｃ（「隣接する２つの表示領域のうちの一方の領域」の一例）内の任意の一点から波形表示領域２１ｄ（「隣接する２つの表示領域のうちの他方の領域」の一例）に向かう「第３の向き（この例では、下向き）」での波形表示領域２１ｃに対するスライド操作（「第３のスライド操作」の一例）と、波形表示領域２１ｄ内の任意の一点から波形表示領域２１ｃに向かう「第３の向きとは逆向き（この例では、上向き）」での波形表示領域２１ｄに対するスライド操作（「第４のスライド操作」の一例）とを同時に実行する（「併合対象の２つの波形表示領域２１に対するピンチ・イン操作」の実行）。
【００５２】
具体的には、２本の指のうちの一方を波形表示領域２１ｃ内の位置Ｐ９ａに接触させ、その状態から波形表示領域２１ｃ，２１ｄの境界部位上の位置Ｐ１０ａに向かう矢印Ｃ２ａのようなスライド操作を行うと共に、２本の指のうちの他方を波形表示領域２１ｄ内の位置Ｐ９ｂに接触させ、その状態から波形表示領域２１ｃ，２１ｄの境界部位上の位置Ｐ１０ｂに向かう矢印Ｃ２ｂのようなスライド操作を行う。この際に、制御部１４は、タッチパネル１３からの操作信号Ｓｏに従い、図１２に示すように、一例として、上方に位置している波形表示領域２１ｃを残して波形表示領域２１ｄを非表示とすることにより、両波形表示領域２１ｃ，２１ａを併合して１つの波形表示領域２１ｃとする（「第３の処理」の一例）。
【００５３】
これにより、波形表示領域２１ｄ（信号波形Ｗｄ）が非表示となり、波形表示領域２１ａ，２１ｃ（信号波形Ｗａ，Ｗｃ）が上下に並んで表示された状態となる。この後、一例として、矢印Ｃ３に示すように、両波形表示領域２１ａ，２１ｃの境界部位上の位置Ｐ１１から波形表示領域２１ｃ内の位置Ｐ１２まで下向きのスライド操作（「第５のスライド操作」の他の一例）を行うことにより、両波形表示領域２１ａ，２１ｃの広さを揃える（図示せず）。これにより、波形表示画面２０を等分割した波形表示領域２１ａ，２１ｃ内に表示されている信号波形Ｗａ，Ｗｃを詳細に観察することが可能となる。
【００５４】
このように、この携帯型表示装置３では、波形表示領域２１における４つの辺のうちの一辺からその一辺に対向する一辺に向かう「第１の向き」で波形表示領域２１に対する「第１のスライド操作」が行われたときに、制御部１４が、「第１のスライド操作」の軌跡の位置に対応させて波形表示領域２１を分割して２つの波形表示領域２１を波形表示画面２０内に規定する「第１の処理」を実行する。また、この波形表示用プログラムＤｐでは、波形表示領域２１における４つの辺のうちの一辺からその一辺に対向する一辺に向かう「第１の向き」で波形表示領域２１に対する「第１のスライド操作」が行われたときに、「第１のスライド操作」の軌跡の位置に対応させて波形表示領域２１を分割して２つの波形表示領域２１を波形表示画面２０内に規定する「第１の処理」を携帯型表示装置３の制御部１４に実行させる。
【００５５】
したがって、この携帯型表示装置３および波形表示用プログラムＤｐによれば、表示部１２に波形表示画面２０を表示させた状態において、いずれかの波形表示領域２１を分割したい位置で、恰もその波形表示領域２１を分断するようなスライド操作を行うことで１つの波形表示領域２１を２つの波形表示領域２１，２１に分割することができる。また、スライド操作の軌跡に応じて波形表示領域２１が分割されるため、分割後の波形表示領域２１，２１の大きさを容易に指定することができる。さらに、波形表示画面２０から「表示条件設定画面」に切り替えることなく、波形表示画面２０を表示させたまま、波形表示領域２１の分割態様を変更することができる。このため、この種の装置の操作に不慣れな利用者であっても、使用形態に応じて波形表示領域２１の数（波形表示画面２０の分割数）を容易に設定して信号波形Ｗをそれぞれ表示させることができる。
【００５６】
また、この携帯型表示装置３によれば、波形表示画面２０内において隣接する２つの波形表示領域２１の境界部位に沿って「第１の向き」とは逆向きの「第２の向き」で「第２のスライド操作」が行われたときに、制御部１４が、「第２の処理」を実行して２つの波形表示領域２１を併合して１つの波形表示領域２１とすることにより、１つの波形表示領域２１を２つの波形表示領域２１，２１に分割する操作と逆のスライド操作を行うだけで併合したい２つの波形表示領域２１，２１が１つの波形表示領域２１に併合されるため、この種の装置の操作に不慣れな利用者であっても、両波形表示領域２１，２１を容易に併合することができる。
【００５７】
さらに、この携帯型表示装置３によれば、波形表示画面２０内において隣接する２つの波形表示領域２１のうちの一方の領域内における任意の一点から２つの波形表示領域２１のうちの他方の領域に向かう「第３の向き」での一方の領域に対する「第３のスライド操作」と、他方の領域内の任意の一点から「第３の向き」とは逆向きでの他方の領域に対する「第４のスライド操作」とが同時に行われたときに、制御部１４が、「第３の処理」を実行して２つの波形表示領域２１を併合して１つの波形表示領域２１とすることにより、恰も、２つの波形表示領域２１，２１を摘まんで一体化させるようなスライド操作（ピンチ・イン操作）を行うことで２つの波形表示領域２１，２１が１つの波形表示領域２１に併合されるため、この種の装置の操作に不慣れな利用者であっても、両波形表示領域２１，２１を容易に併合することができる。
【００５８】
また、この携帯型表示装置３によれば、波形表示画面２０内において隣接する２つの波形表示領域２１の境界部位から２つの波形表示領域２１のうちの一方の領域における境界部位に対向する一辺に向かう「第４の向き」で境界部位を始点とする「第５のスライド操作」が行われたときに、制御部１４が、「第４の処理」を実行して「第５のスライド操作」の終点まで境界部位を変位させて２つの波形表示領域２１の広さを変更することにより、隣接する２つの波形表示領域２１，２１の広さを容易に変更することができる。
【００５９】
さらに、この携帯型表示装置３によれば、制御部１４が、「第１の処理」において、「第１のスライド操作」の軌跡における終点の位置に対応させて波形表示領域２１を分割することにより、スライド操作の完了時に指を離す位置（スライド操作の終点）が所望の分割位置となるように操作することで分割後の両波形表示領域２１，２１の広さを所望の広さとすることができるため、スライド操作の始点から終点まで、分割位置を意識して操作する必要がない分だけ、波形表示領域２１の分割操作を一層容易に実行することができる。
【００６０】
また、この測定システム１によれば、上記の携帯型表示装置３と、測定処理を実行して波形データＤｗを生成する測定装置２とを備えて構成したことにより、測定装置２において生成した波形データＤｗに基づく信号波形Ｗを携帯型表示装置３において容易に観察することができる。
【００６１】
なお、「波形表示装置」や「測定システム」の構成、および「波形表示用プログラム」の記述内容については、上記の携帯型表示装置３や測定システム１の構成、および波形表示用プログラムＤｐの記述内容に限定されない。例えば、スライド操作の終点の位置に対応して波形表示領域２１を分割する構成・方法について説明したが、スライド操作の始点に応じて波形表示領域２１を分割する構成・方法や、スライド操作の始点および終点の双方に応じて（一例として、始点および終点の平均高さに応じて）波形表示領域２１を分割する構成・方法を採用することもできる。
【００６２】
また、波形表示画面２０内に規定した各波形表示領域２１内に１つの波形データＤｗに基づく信号波形Ｗをそれぞれ表示させる使用形態を例に挙げて説明したが、波形表示画面２０内に規定した各波形表示領域２１毎に内に互いに相違する波形データＤｗの信号波形Ｗをそれぞれ表示させてもよい。さらに、各波形表示領域２１内に１つの信号波形Ｗを表示させる使用形態を例に挙げて説明したが、１つの波形表示領域２１内に２つ以上の信号波形Ｗを並べて（または、重ねて）表示させてもよい。
【００６３】
また、波形表示画面２０内に規定した複数の波形表示領域２１のうちのいずれかに、信号波形Ｗ以外の各種の情報（一例として、測定結果の数値表示や、波形データＤｗの測定条件を示す測定処理情報など）を表示させることもできる。さらに、波形表示画面２０を波形表示領域２１における時間軸方向に沿って分割して複数の波形表示領域２１を規定する例について説明したが、「波形表示画面」を分割する方向はこれに限定されず、時間軸方向と交差する方向（例えば、直交する方向）に「表示領域」を分割して（上記の例では、１つの波形表示領域２１を左右方向に分割して）２つの「表示領域」を新たに規定することもできる。
【００６４】
また、測定装置２、および測定装置２とは別体に構成された携帯型表示装置３を備えた測定システム１を例に挙げて説明したが、「測定装置」および「波形表示装置」を一体的に構成した「測定システム」、すなわち、「測定装置」の表示部に信号波形Ｗを表示させる構成において、上記の携帯型表示装置３による波形表示処理を実行する構成を採用することもできる。
【符号の説明】
【００６５】
１  測定システム
２  測定装置
３  携帯型表示装置
１１  通信部
１２  表示部
１３  タッチパネル
１４  制御部
１５  記憶部
２０  波形表示画面
２１，２１ａ〜２１ｄ  波形表示領域
Ｄｗ  波形データ
Ｄｐ  波形表示用プログラム
Ｆ１，Ｆ２  領域表示
Ｓｃ  制御信号
Ｓｉ  入力信号
Ｓｏ  操作信号
Ｗ，Ｗａ〜Ｗｄ  信号波形
【図１】
2014215081.tif 000003
【図２】
2014215081.tif 000004
【図３】
2014215081.tif 000005
【図４】
2014215081.tif 000006
【図５】
2014215081.tif 000007
【図６】
2014215081.tif 000008
【図７】
2014215081.tif 000009
【図８】
2014215081.tif 000010
【図９】
2014215081.tif 000011
【図１０】
2014215081.tif 000012
【図１１】
2014215081.tif 000013
【図１２】
2014215081.tif 000014